(57)【要約】織物モチーフが、モチーフ内の固定位置で互いに対して様々な向きになっている実質的に正方形で実質的に同一のモジュールの配置を備える。各モジュールは、少なくとも２つの視覚的に別個の色相を含む。モチーフを反復させて、全体的な織物柄を形成することができる。
2010519425.tif 000002
【特許請求の範囲】
【請求項１】
織物柄であって、
織物の長さ及び幅に沿って反復するモチーフを備え、該モチーフは、該モチーフ内の固定位置で互いに対して様々な向きになっている実質的に正方形で実質的に同一のモジュールの配列を備え、
各モジュールが、少なくとも２つの視覚的に別個の色相を含み、且つ
各モジュールが、実質的に同一の色相配置を有する少なくとも２つの周縁を含む、
織物柄。
【請求項２】
前記色相配置は、前記２つの周縁のそれぞれに沿った双方向対称性を有する、請求項１に記載の織物柄。
【請求項３】
前記２つの周縁は、複数の周縁のうちの２つの周縁であり、
前記複数の周縁は、４つの周縁を含み、
前記４つの周縁のそれぞれが、前記実質的に同一の色相配置を有する、
請求項１又は２に記載の織物柄。
【請求項４】
織物柄であって、
織物の長さ及び幅に沿って反復するモチーフを備え、該モチーフは、該モチーフ内の固定位置で互いに対して縁対縁関係の様々な向きになっている実質的に正方形で実質的に同一のモジュールの配列を備え、
各モジュールが、デザイン要素を含み、且つ
前記モチーフは、前記モジュールの前記デザイン要素とは異なる新たなデザイン要素を画定する、モジュールの少なくとも１つの縁対縁位置合わせを含む、
織物柄。
【請求項５】
前記縁対縁位置合わせは、完全な位置合わせである、請求項４に記載の織物柄。
【請求項６】
前記縁対縁位置合わせは、不完全な位置合わせである、請求項４に記載の織物柄。
【請求項７】
織物柄であって、
織物の長さ及び幅に沿って反復するモチーフを備え、該モチーフは、該モチーフ内の固定位置で互いに対して様々な向きになっている実質的に同一で正方形の形状のモジュールの配列を備え、
各モジュールが、該モジュールの周縁に沿って複数の区画を画定する少なくとも１つのデザイン要素を含み、且つ
前記区画の配置は、前記縁に沿って対称である、
織物柄。
【請求項８】
前記周縁は、複数の周縁のうちの第１の周縁であり、
前記区画の配置は、前記周縁の少なくとも２つに沿って実質的に同一である、
請求項７に記載の織物柄。
【請求項９】
前記区画の配置は、前記周縁のそれぞれに沿って実質的に同一である、請求項７又は８に記載の織物柄。
【請求項１０】
各区画が、１つの色相に関連付けられて各周縁に沿った色相配置を独立して画定する、請求項７ないし９のいずれか１項に記載の織物柄。
【請求項１１】
各色相配置が、前記周縁の少なくとも２つに沿って実質的に同一である、請求項１０に記載の織物柄。
【請求項１２】
各色相配置が、前記周縁のそれぞれに沿って実質的に同一である、請求項１０又は１１に記載の織物柄。
【請求項１３】
前記複数の区画は、中央区画を含み、
各中央区画が、第１の色相を有する、
請求項７ないし１２のいずれか１項に記載の織物柄。
【請求項１４】
前記複数の区画は、一対の端区画を含み、
各端区画が、第１の色相を有する、
請求項７ないし１２のいずれか１項に記載の織物柄。
【請求項１５】
前記複数の区画は、中央区画及び一対の端区画を含み、
各中央区画が、第１の色相を有し、
各端区画が、前記第１の色相とは異なる第２の色相を有する、
請求項７ないし１２のいずれか１項に記載の織物柄。
【請求項１６】
前記モジュールは、非対称線でもある少なくとも１本の二等分中心線を含む、請求項１ないし１５のいずれか１項に記載の織物柄。
【請求項１７】
前記モジュールは、対称線でもある少なくとも１本の二等分中心線を含む、請求項１ないし１５のいずれか１項に記載の織物柄。
【請求項１８】
織物柄を形成する方法であって、
初期の向きを有し、少なくとも２つの視覚的に区別可能な色相を含む、実質的に正方形のモジュールを設けること、
前記初期の向きを有する前記モジュールを回転及び／又は反転させることにより、複数の新たな向きを準備すること、
モチーフを画定するように縁対縁位置合わせしたモジュールの配列を形成することであって、各モジュールが、前記初期の向き又は前記複数の新たな向きの１つを有する、形成すること、及び
織物柄を形成するように織物の長さ及び幅にわたって前記モチーフを反復させること、
を含む、織物柄を形成する方法。
【請求項１９】
前記モジュールは、実質的に同一の色相配置を有する少なくとも２つの周縁を含む、請求項１８に記載の方法。
【請求項２０】
前記モジュールは、該モジュールの縁に当接する少なくとも１つのデザイン要素を含み、
前記モチーフは、前記モジュールの前記デザイン要素とは異なる新たなデザイン要素を画定する、モジュールの少なくとも１つの縁対縁位置合わせを含む、請求項１８又は１９に記載の方法。
【発明の詳細な説明】
【技術分野】
【０００１】
本開示は、包括的には柄出し技法に関する。より詳細には、本開示は、継目に沿った柄の位置合わせを容易にし、そうすることで新たな視覚的に好ましい柄を作成する、織物又は他の材料の柄出し技法に関する。
【背景技術】
【０００２】
［関連出願の相互参照］
２００７年２月２３日付けで出願された米国仮出願第６０／９０３，１１３号の利益を主張する。米国仮出願第６０／９０３，１１３号の開示の全体が、参照により本明細書に援用される。
【発明の概要】
【発明が解決しようとする課題】
【０００３】
柄入りの織物及び布地は、例えば、カーペット、衣服、壁紙、及び室内内張りを含む多様な用途で用いられることが多い。多くの場合、２つ以上の織物片間の柄の位置合わせにより、かなりの量の廃棄物が生じる。したがって、織物間の柄の位置合わせを容易にして、発生する廃棄物の量を減らす柄出し技法が必要である。
【課題を解決するための手段】
【０００４】
本開示は、包括的には、織物の柄出し技法及びこの柄出し技法に従って形成される柄に関する。この柄出し技法は、２つ以上の織物片の位置合わせを容易にすることにより、織物の使用を簡素化すると共に、継目に沿い且つ継目を挟んだ視覚的に好ましい柄の作成に関連する廃棄物の量を減らす。
【０００５】
織物柄は、概して、織物の長さ及び幅にわたって反復するデザイン又はモチーフを含む。モチーフは、モチーフ内の固定位置で互いに対して様々な向きになっている実質的に正方形で実質的に同一のデザインモジュールの配置を備える。各デザインモジュールは、少なくとも２つの視覚的に別個の色相を含む。
【０００６】
本発明に従って用いられるモジュールは、概して、モジュールがモチーフにおける隣接モジュールとの視覚的接続又は連結を形成することを可能にする１つ又は複数の特徴又は特性を含む。視覚的接続は、縁の位置合わせが「完全」な状態、又は縁の位置合わせが「不完全」ではあるものの視覚的に好ましい状態であり得る。
【０００７】
本発明に従って柄を形成するためには、初期の向きを有するデザインモジュールを回転及び／又は反転させて、複数の新たなモジュール向きを準備する。様々な向きのモジュールは、モチーフにおける各モジュールが初期の向き又は新たな向きの１つを有するようにして、タイル張り構成で配置される。配列における向きを付けたモジュールの集合的なデザインがモチーフを画定し、これが織物ウェブの長さ及び幅にわたって反復され得る。
【０００８】
本発明による柄入り織物は、使用又は設置が容易であり得る。織物の１つ又は複数の隣接片をわずかに調整することで、織物片の大部分を除去及び／又は廃棄する必要なく、継目に沿い且つ継目を越えて柄の位置合わせを達成することができる。様々な考えられる位置合わせごとに、当接及び／又は連接される織物片で異なる全体的な柄が得られ得る。それにもかかわらず、モチーフ内の柄の漠然性又は外見上ランダムな性質が、得られる柄全体を独特で視覚的に好ましいものにする。
【０００９】
続いて、このモチーフを用いて、任意の適当な技法、方法、又はプロセスに従って織物（図示せず）を形成することができる。通常、織物は、原反（roll good）として形成される。しかしながら、織物シート及び他の構造が想定される。一例では、織物は、複数のタフト糸を含むカーペットである。別の例では、織物は、衣服、室内内張り、リネン、又は他の用途用の布地である。さらに他の例では、織物は、ラグ、カーペットタイル、又は他の織構造である。多くの他の織物用途が想定される。
【００１０】
原反をカーペット設備（installation）、衣服、又は他の製品に変えるためには、織物片を必要に応じて切断、位置合わせ、及び／又は接合する。通常のカーペット設備では、カーペット片を各縁に沿って当接させて、所望の空間、例えば廊下又は部屋に敷き詰める。カーペット柄を継目に沿って位置合わせすると、視覚的に好ましい外見上連続的なカーペット片ができる。しかしながら、継目に沿った柄の位置合わせは、多くの場合、かなりの量の廃棄物及び／又は設置の不具合をもたらす。本発明は、第１のカーペット片が設置されたら継目を挟んで柄を位置合わせするように隣接片をわずかに調整するだけでよいように、モジュール、したがってモチーフを設計することにより、この問題に対処する。そうすることで、それぞれが視覚的に好ましい多様な全体的カーペット柄を作成することができる。
【００１１】
同様に、衣類、室内内張り、又は他の布地ベースの製品を形成するためには、様々な片を必要に応じて切断し、必要に応じて当接及び／又は重複させ、且つ場合によっては接合して継目を形成する。所望であれば、継目を挟んで織物の柄を位置合わせすることにより、継目の外観を目立たせるか又はできる限り目立たなくする（minimized）ことができる。そうすることで、本発明の柄出し技法は、織物柄の位置合わせを容易にし、したがって廃棄物を最小化する。
【００１２】
本発明の他の態様、特徴、及び利点は、以下の説明及び添付図面から明らかとなるであろう。
【００１３】
説明には添付の概略図面を参照し、図面において、いくつかの図を通して同じ参照符号は同じ部分を指す。
【図面の簡単な説明】
【００１４】
【図１Ａ】本発明の様々な態様を示すために用いられる一般的な「Ｒ」モジュールを示す。
【図１Ｂ】図１Ａのモジュールの様々な向きを示す。
【図１Ｃ】モジュール向きのタイル張り配置を示す。
【図１Ｄ】図１Ｃのモジュール向きの配置に対応する様々な向きを有する「Ｒ」モジュールの例示的な配置を示す。
【図２Ａ】織物柄を形成するために用いられ得る例示的なモジュールを示す。
【図２Ｂ】図２Ａのモジュールの様々な向きを示す。
【図２Ｃ】図２Ｂの向きが寄せ合わせられてデザインを形成するところを概略的に示す。
【図２Ｄ】図２Ｂの向きが寄せ合わせられてデザインを形成するところを概略的に示す。
【図２Ｅ】織物反復単位又はモチーフを形成するために用いられ得る様々な向きの「Ｒ」モジュールの例示的な配置を示す。
【図２Ｆ】図２Ｅの「Ｒ」モジュールを「Ｒ」モジュールと同じ向きの図２Ａのモジュールで置き換えることによって形成される、例示的な織物反復単位又はモチーフを示す。
【図２Ｇ】図２Ｆのモチーフを用いて形成される織物片を位置合わせする方法を示す。
【図２Ｈ】図２Ｆのモチーフを用いて形成される織物片を位置合わせする方法を示す。
【図２Ｉ】図２Ｆのモチーフを用いて形成される織物片を位置合わせする方法を示す。
【図２Ｊ】図２Ｆのモチーフを用いて形成される織物片を位置合わせする方法を示す。
【図２Ｋ】図２Ｆのモチーフを用いて形成される織物片を位置合わせする方法を示す。
【図２Ｌ】図２Ｆのモチーフを用いて形成される織物片を位置合わせする方法を示す。
【図２Ｍ】図２Ｆのモチーフを用いて形成される織物片を位置合わせする方法を示す。
【図２Ｎ】図２Ｆのモチーフを用いて形成される織物片を位置合わせする方法を示す。
【図２Ｏ】２つの織物片の位置合わせを示す。
【図２Ｐ】２つの織物片の位置合わせを示す。
【図２Ｑ】織物片の置き換えを示す。
【図２Ｒ】織物片の置き換えを示す。
【図２Ｓ】織物片の置き換えを示す。
【図２Ｔ】織物片の置き換えを示す。
【図２Ｕ】織物片の置き換えを示す。
【図２Ｖ】織物片の置き換えを示す。
【図２Ｗ】織物片の置き換えを示す。
【図２Ｘ】織物片の置き換えを示す。
【図２Ｙ】織物片の置き換えを示す。
【図２Ｚ】織物片の置き換えを示す。
【図３Ａ】織物柄を形成するために用いられ得る別の例示的なモジュールを示す。
【図３Ｂ】図３Ａのモジュールの様々な向きを示す。
【図３Ｃ】モチーフを形成するために用いられ得る様々な向きの「Ｒ」モジュールの例示的な配置を示す。
【図３Ｄ】図３Ｃの各「Ｒ」モジュールを各「Ｒ」モジュールと同じような向きの図３Ａのモジュールで置き換えることによって形成される、例示的なモチーフを示す。
【図３Ｅ】図３Ｄのモチーフを用いて形成される織物片の位置合わせを示す。
【図３Ｆ】図３Ｄのモチーフを用いて形成される織物片の位置合わせを示す。
【図３Ｇ】図３Ｄのモチーフを用いて形成される織物片の位置合わせを示す。
【図３Ｈ】図３Ｄのモチーフを用いて形成される織物片の位置合わせを示す。
【図４Ａ】織物柄を形成するために用いられ得るさらに別の例示的なモジュールを示す。
【図４Ｂ】図４Ａのモジュールの様々な向きを示す。
【図４Ｃ】モチーフを形成するために用いられ得る様々な向きの「Ｒ」モジュールの例示的な配置を示す。
【図４Ｄ】図４Ｃの「Ｒ」モジュールを「Ｒ」モジュールと同じような向きの図４Ａのモジュールで置き換えることによって形成される、例示的なモチーフを示す。
【図４Ｅ】図４Ｄのモチーフを用いて形成される織物片の位置合わせを示す。
【図４Ｆ】図４Ｄのモチーフを用いて形成される織物片の位置合わせを示す。
【図５Ａ】織物柄を形成するために用いられ得るさらに別の例示的なモジュールを示す。
【図５Ｂ】図５Ａのモジュールの様々な向きを示す。
【図５Ｃ】モチーフを形成するために用いられ得る様々な向きの「Ｒ」モジュールの例示的な配置を示す。
【図５Ｄ】図５Ｃの「Ｒ」モジュールを「Ｒ」モジュールと同じような向きの図５Ａのモジュールで置き換えることによって形成される、例示的なモチーフを示す。
【図５Ｅ】図５Ｄのモチーフを用いて形成される織物片の位置合わせを示す。
【図５Ｆ】図５Ｄのモチーフを用いて形成される織物片の位置合わせを示す。
【図６Ａ】織物柄を形成するために用いられ得る別の例示的なモジュールを示す。
【図６Ｂ】図６Ａのモジュールの様々な向きを示す。
【図６Ｃ】モチーフを形成するために用いられ得る様々な向きの「Ｒ」モジュールの例示的な配置を示す。
【図６Ｄ】図６Ｃの「Ｒ」モジュールを「Ｒ」モジュールと同じような向きの図６Ａのモジュールで置き換えることによって形成される、例示的なモチーフを示す。
【図６Ｅ】図６Ｄのモチーフを用いて形成される織物片の位置合わせを示す。
【図６Ｆ】図６Ｄのモチーフを用いて形成される織物片の位置合わせを示す。
【図７Ａ】織物柄を形成するために用いられ得るさらに別の例示的なモジュールを示す。
【図７Ｂ】図７Ａのモジュールの様々な向きを示す。
【図７Ｃ】モチーフを形成するために用いられ得る様々な向きの「Ｒ」モジュールの例示的な配置を示す。
【図７Ｄ】図７Ｃの「Ｒ」モジュールを「Ｒ」モジュールと同じような向きの図７Ａのモジュールで置き換えることによって形成される、例示的なモチーフを示す。
【図７Ｅ】図７Ｄのモチーフを用いて形成される織物片の位置合わせを示す。
【図７Ｆ】図７Ｄのモチーフを用いて形成される織物片の位置合わせを示す。
【図８Ａ】織物柄を形成するために用いられ得るさらに別の例示的なモジュールを示す。
【図８Ｂ】図８Ａのモジュールの様々な向きを示す。
【図８Ｃ】モチーフを形成するために用いられ得る様々な向きの「Ｒ」モジュールの例示的な配置を示す。
【図８Ｄ】図８Ｃの「Ｒ」モジュールを「Ｒ」モジュールと同じような向きの図８Ａのモジュールで置き換えることによって形成される、例示的なモチーフを示す。
【図８Ｅ】図８Ｄのモチーフから形成される織物片の例示的な位置合わせを示す。
【図９Ａ】織物柄を形成するために用いられ得る別の例示的なモジュールを示す。
【図９Ｂ】モチーフを形成するために用いられ得る様々な向きの「Ｒ」モジュールの例示的な配置を示す。
【図９Ｃ】図９Ｂの「Ｒ」モジュールを「Ｒ」モジュールと同じような向きの図９Ａのモジュールで置き換えることによって形成される、例示的なモチーフを示す。
【図１０Ａ】織物柄を形成するために用いられ得る別の例示的なモジュールを示す。
【図１０Ｂ】モチーフを形成するために用いられ得る様々な向きの「Ｒ」モジュールの例示的な配置を示す。
【図１０Ｃ】図１０Ｂの「Ｒ」モジュールを「Ｒ」モジュールと同じような向きの図１０Ａのモジュールで置き換えることによって形成される、例示的なモチーフを示す。
【図１１Ａ】織物柄を形成するために用いられ得る別の例示的なモジュールを示す。
【図１１Ｂ】モチーフを形成するために用いられ得る様々な向きの「Ｒ」モジュールの例示的な配置を示す。
【図１１Ｃ】図１１Ｂの「Ｒ」モジュールを「Ｒ」モジュールと同じような向きの図１１Ａのモジュールで置き換えることによって形成される、例示的なモチーフを示す。
【図１２Ａ】織物柄を形成するために用いられ得る別の例示的なモジュールを示す。
【図１２Ｂ】モチーフを形成するために用いられ得る様々な向きの「Ｒ」モジュールの例示的な配置を示す。
【図１２Ｃ】図１２Ｂの「Ｒ」モジュールを「Ｒ」モジュールと同じような向きの図１２Ａのモジュールで置き換えることによって形成される、例示的なモチーフを示す。
【発明を実施するための形態】
【００１５】
本開示は、包括的には、様々な織物柄及びこのような柄を形成する柄出し技法に関する。本柄出し技法及び得られる織物柄は、継目に沿い且つ継目を挟んだ織物片の位置合わせを容易にし、こうした位置合わせに通常関連する廃棄物の量を減らす。
【００１６】
様々な柄は、例えば織物の長さ及び幅に沿って反復するデザイン又はモチーフを備える。織物柄全体において現れるモチーフごとに、継目に沿った他のデザイン要素と当接して１つ又は複数の新たな要素又はデザインを画定することができる「接続点」としての役割を果たす複数のデザイン要素が含まれる。新たな要素は、反復するモチーフの柄を乱す可能性があるが、各片における接続点が、隣接片にわたる柄全体を連続的なものとして認識することを可能にする。
【００１７】
各モチーフは、タイル張り（すなわち、ブロック反復）構成又は配列で配置されている複数のデザイン「モジュール」に分割することができる。各モジュールは、実質的に正方形の形状であり、少なくとも２つの視覚的に別個の色相を含む。通常、モジュール内でより目立つ特徴が織物の前景柄を画定し、織物柄の残りの部分が地を構成する。しかしながら、その逆も想定される。モジュールにおける特定の色相配置が、モチーフの一部又は一区画を形成する。
【００１８】
モチーフ内の各モジュールは、モチーフ内の他のモジュールそれぞれと実質的に同一であるが、モジュールは、モチーフ内の固定位置で互いに対して様々な、場合によってはランダムな向きである。各モジュールの向きは、直立、逆さま、及び／又は互いに対して９０度、１８０度、若しくは２７０度回転させた状態であり得る。様々な向きのモジュールの各配置が、独特なモチーフを形成する。したがって、所与のモジュールデザインで無数のモチーフを形成することができる。モチーフは、モジュールの特定のデザイン及びモジュールの配置に応じて、対称であっても非対称であってもよい。
【００１９】
本柄出し技法で用いるのに適したモジュールは、１つのモジュールのデザイン要素が隣接モジュールのデザイン要素と一続き又は相補的であるように、隣接する様々な向きのモジュールの縁との目視的（optical）又は視覚的接続の形成を容易にする、１つ又は複数の様々な特徴を有し得る。この接続は、隣接するデザイン要素の「整合」又は視覚的に好ましい「不整合」を含み得る。結果として、２つ以上の様々な向きのモジュールが縁対縁で配置されると、各モジュールが、全体的な調和のとれたデザインの一部を形成する。
【００２０】
より詳細には、各モジュールは、少なくとも１つの他の縁に沿ったデザイン要素及び／又は色相に対応するか又はそれと協調するデザイン要素及び／又は色相の配置を有する、少なくとも１つの縁を含む。そのような縁の横方向位置合わせは、デザイン要素及び／又は色相がモジュールからモジュールへと連続的に延びる又は「流れる」ように見えるようなデザイン要素及び／又は色相の「完全な」整合、又はデザイン要素及び／又は色相がモジュールからモジュールへと連続的に流れない「不完全な」整合をもたらし得る。完全な縁の位置合わせは、概して、各モジュールにわたるデザイン要素につながりを与えるが、不完全な縁の位置合わせは、特定のデザイン要素の流れに途切れ又は不連続が見えるようにし得る。それにもかかわらず、どのモジュール縁を他のどのモジュール縁と横方向位置合わせしても、視覚的に好ましい。したがって、任意の向きを有するどのモジュールを、任意の向きを有する他のどのモジュールに隣接して置いても、視覚的に好ましい接続を依然として得ることができる。モジュールの特定の特性に応じて、得られるモチーフ及び全体的な織物柄は、比較的「開放的」であってもよく（すなわち、地を構成する面積比率の方が大きくてもよく）、又は比較的「閉鎖的」若しくは相互接続的であってもよい（すなわち、前景要素を構成する面積比率の方が大きくてもよい）。
【００２１】
いくつかの実施例では、１つ又は複数の縁が、各縁に沿ったデザイン要素及び／又は色相の配置が各縁の中間点に関して対称であるような双方向対称性を有するものとして特徴付けられ得る。そのような縁対称性にもかかわらず、モジュールの横方向位置合わせは、各縁に関連する色相に応じて、不完全な整合又は完全な整合をもたらし得る。特定の一例では、縁のそれぞれの色相双方向位置合わせが実質的に同一であることで、どの縁を他のどの縁と対応させても完全な視覚的接続を容易に形成するようになる。
【００２２】
いくつかの実施例は、このような縁対称性を特徴とし得るが、モジュールの全体的な対称性は変わり得ることが理解されるであろう。概して、各モジュールは、モジュールを二分する少なくとも１本の中心線を挟んで非対称であり得る。モジュールの全体的な「対称度（symmetry degree）」は、モジュールがどの二等分中心線を挟んでも非対称であるような０、モジュールが１本の二等分中心線を挟んで対称であるような１、又はモジュールが２本の二等分中心線を挟んで対称であるような２であり得る。モジュールが少なくとも１本の対称線を含む場合、モジュールは、色相が実質的に同一に配置されている少なくとも２つの縁も有することが理解されるであろう。しかしながら、モジュールは、いかなる二等分中心線を挟んでも対称ではない、双方向対称性を有する１つ又は複数の縁を有していてもよい。実施例を参照して説明されるように、対称の度合いは、モジュールの別個の向きの数を決め、モチーフにおける様々な向きのモジュールによって作成される全体的デザインの見え方に寄与する。
【００２３】
各モチーフが、目視的につながるモジュールの配列を備えるため、隣接するモチーフも、互いに目視的につながって視覚的に連続したデザインを形成することが可能である。結果として、特定のモジュールそれぞれの向きに関係なく、織物の柄全体を乱すことなく任意のモジュールを任意の他のモジュールの隣に置くことができる。隣接するモチーフ間で利用可能な接続点の数は、モチーフにおけるモジュールの数に応じて変わる。例えば、配列の左右間で（すなわち、列内で）１６個のモジュール及び配列の上下間で（すなわち、行内で）１６個のモジュールを備えるモチーフは、各列に１６個の接続点及び各行に１６個の接続点を有する。したがって、隣接する織物片における柄は、第１の片のモジュールを第２の片のモジュールと位置合わせさせるように片同士の微調整を行うだけで、継目を挟んで位置合わせすることができる。こうして、廃棄物をほとんど出さずに隣接する織物片を容易に位置合わせすることができる。
【００２４】
場合によっては、モチーフの１つのモジュールにおけるデザイン要素は、隣接するデザイン要素と位置合わせして新たなデザイン要素の全部又は一部を形成し得る。新たなデザイン要素は、閉鎖形状（すなわち、開放端がない）であっても開放形状（すなわち、さらなる接続が可能な１つ又は複数の開放端がある）であってもよく、概して、同様の向きのモジュールの単なる並列タイル張りとは見え方が異なる。新たな要素は、モチーフ内に存在しない場合があり、且つ／又はモチーフ内の要素の配置に合致しない場合があるが、新たな要素の存在は判別し難い。したがって、２つ以上の織物片が、多くの方法で配置されてもなお外見上連続的な全体的デザインを形成することができる。
【００２５】
本柄出し技法の様々な態様を、図を参照して理解することができる。簡単のために、図において同じ特徴の説明には同じ符号が用いられ得る。複数の同様の特徴が図示されている場合、各図でこうした特徴の全てに符号が付けられているとは限らないことが理解されるであろう。
【００２６】
各モジュールが、第１の又は「上」縁、第２の又は「下」縁、第３の又は「左」縁、及び第４の又は「右」縁を含む複数の周縁又は周辺境界を有する実質的に「正方形」の形状として説明されることに留意されたい。しかしながら、色相の配置が正方形の輪郭又は明確な縁を含まない場合があることが理解されるであろう。むしろ、モジュールがこのように定義されているのは、モジュールの範囲内の色相の配置を説明するのに便利な手段を提供するため及び本発明の柄出し技法及び柄を理解しやすくするためである。
【００２７】
同様に、各モジュールは、それぞれがモジュールを二分する縦中心線、横中心線、第１の対角中心線、及び第２の対角中心線を含む、複数の中心線を有するものとして特徴付けられるが、図ではこれらの中心線のうちいくつかのみに符号が付けられ得る。縦中心線及び横中心線は、モジュールの対向する縁の各対間に延びており、第１の対角中心線及び第２の対角中心線は、モジュールの対向するコーナの各対間に延びている。これらの位置的及び方向的特徴付けは、説明を目的としたものにすぎず、決して限定的な意図はないことが理解されるであろう。
【００２８】
図１Ａは、本柄出し技法の様々な態様を説明するために用いられ得る一般的な「Ｒ」モジュール１００を示す。モジュール１００は、それぞれが黒色破線として示される複数の周辺輪郭又は周縁１０２、１０４、１０６、１０８によって画定される実質的に正方形の形状を有するものとして特徴付けられ得る。モジュールがこの初期の直立向きにある場合、対向する縁１０６、１０８は、実質的に第１の方向Ｄ１（全体を通して縦方向とも呼ぶ）に延び、互いに実質的に平行である。対向する縁１０２、１０４は、実質的に第２の方向Ｄ１（全体を通して横方向とも呼ぶ）に延び、互いに実質的に平行である。第１の方向Ｄ１及び第２の方向Ｄ２は、互いに対して実質的に垂直である。
【００２９】
モジュール１００は、前景デザイン要素１１０及び地１１２を含む。この実施例では、デザイン要素１１０は、黒色の文字「Ｒ」として示されており、地１１２は、白無地として示されている。しかしながら、様々な他の色相及び色相の組み合わせが用いられ得ることが理解されるであろう。したがって、デザイン要素が地よりも明るくても暗くてもよく、地がデザイン要素よりも明るくても暗くてもよい。モジュールによっては、どの要素が前景でどの要素が地であるかを判別し難い場合があることも想定される。実施例から明らかとなるように、各デザイン要素の正確な特徴付けは本発明に重要ではない。
【００３０】
図１Ｂに示すように、モジュール１００は多くの方法で向きを変えられ得る。向き１は、「Ｒ」が直立構成である本来の向きのモジュールである。向き２は、向き１に対して右に９０度回転させたモジュールである。向き３は、向き２に対して追加で９０度回転させたモジュールである。向き４は、向き３に対してさらに９０度回転させたモジュールである。向き５は、本来の向きを反転させた、すなわち下方にひっくり返したモジュールである。向き６は、向き５に対して右に９０度回転させた向き５のモジュールである。向き７は、向き６に対して追加で９０度回転させたモジュールである。向き８は、向き７に対して追加で９０度さらに回転させたモジュールである。
【００３１】
「Ｒ」モジュールは、全体として非対称（対称度０）であるため、各向きの見え方が他の向きそれぞれと異なる。しかしながら、残りの実施例を参照すると分かるように、０以外の対称の度合いを有するモジュールでは、通常はいくつかの他の向きと同じ見え方になる向きがいくつかある。換言すれば、対称度が０のモジュールは、通常は８個の別個の向きを有するが、対称度が少なくとも１、２、又は３のモジュールは、通常は７個以下の別個の向きを有する。特に、対称度が１の（すなわち、１本の中心線を挟んで対称である）モジュールは、通常は４つの別個の向きを有し、対称度が２の（すなわち、２本の中心線を挟んで対称である）モジュールは、通常は２つの別個の向きを有する。対称度が３の（すなわち、３本の中心線を挟んで対称である）モジュールは、全体として対称であり、通常は１つの特定の向きしか有しない。
【００３２】
図に戻ると、様々な向きのモジュール１００のタイル張り配置又は配列１１４が準備され得る。各向きの選択は、手動で行われてもコンピュータ又は他のデバイスを用いて行われてもよく、意図的であってもランダムであってもよい。配列における各位置は、図１Ｃに示すように位置識別子に対応し、これらは、図１Ｄに示すように対応するモジュールで置き換えることができる。図１Ｃ及び図１Ｄに示す実施例では、配列は、４列４行を含むため、「４掛ける４配列」（又は「４×４配列」）のモジュールと呼ばれ得る。この実施例では、配置が合計１６個のモジュールを含む。しかしながら、他の配置も本発明によって想定される。
【００３３】
一般的な「Ｒ」モジュールを様々なモジュールで置き換えて、多くの織物モチーフ及び織物柄を形成することができ、そのいくつかを以下の実施例で示す。本柄出し技法に従って無数の他のモチーフ及び柄を形成することができ、そのような柄が本発明によって想定されることが理解されるであろう。
【００３４】
［実施例１］
図２Ａは、本柄出し技法に従って用いられ得る例示的なモジュール２００を示す。限定のためではなく簡単のために、モジュール２００は、それぞれが破線形態で示される複数の理論上の周辺境界又は周縁２０２、２０４、２０６、２０８によって画定される実質的に正方形の形状を有するものとして図示されている。しかしながら、残りの図から明らかとなるように、モジュール２００は明確な輪郭を含まない。第１の弧２１０が、縁２０２と縁２０８との間に延び、弧２１０の終点は、縁２０２、２０８の長さに沿った実質的に中心にある。同様に、第２の弧２１２が、縁２０４と２０６との間に延び、弧２１２の終点は、縁２０４、２０６それぞれの長さに沿った実質的に中心にある。このモジュールは、黒色で示す地２１４も含む。モジュール２００は、第１の対角中心線ＣＤ１に沿って対称であり、残りの中心線ＣＴ、ＣＬ、及びＣＤ２を挟んで非対称であるため、モジュール２００の全体的な対称の度合いは１である。
【００３５】
特定のモジュールを含む様々な構成要素が、多くの方法で説明及び／又は提示され得ることが認識されるであろう。例えば、この図では、第１の弧２１０が白色で示されている。第２の弧２１２は、白色輪郭を有する黒色であると言うこともでき、又は代替的に、それぞれが各縁に沿った終点を有して、黒色の内部空間が地の一部となっている、一対の白色の弧であると言うこともできる。限定のためではなく論考を容易にするために、第２の弧２１２は、本明細書では白色の縁及び黒色の内部空間を有する単一の弧として特徴付けられる。弧２１０、２１２及び地２１４の色が変わり得ることも認識されるであろう。所望に応じて、地の色を前景柄よりも明るく又は暗くして、任意の色の組み合わせを用いることができる。
【００３６】
図２Ａに示すように、各縁２０２、２０４、２０６、２０８は、様々な区画ａ、ｂ、ｃ、ｃ’に分割することができ、各区画ａは実質的に等しい長さを有し、各区画ｂは実質的に等しい長さを有し、各区画ｃ、ｃ’は実質的に等しい長さを有するため、区画の長さの配置は、各縁２０２、２０４、２０６、２０８に沿って対称である。
【００３７】
各区画は、デザイン要素の特定の部分及び／又は特定の色相に関連し得る。この実施例では、デザイン要素及び／又は色相の配置が、縁２０２、２０８に沿って実質的に同一且つ対称であるため、縁２０２、２０８は、互いに完全な位置合わせを容易に成す。同様に、デザイン要素及び／又は色相の配置が、縁２０４、２０６に沿って実質的に同一且つ対称であるため、縁２０４、２０６は、互いに完全な位置合わせを容易に成す。対照的に、他の縁の組み合わせ（すなわち、２０２又は２０８と２０４又は２０６）は、区画ｃ、ｃ’の不完全な位置合わせをもたらす。それにもかかわらず、残りの図から明らかとなるように、モジュールからモジュールへと外見上連続的な要素の流れができる。
【００３８】
図２Ｂを見ると、モジュール２００は、図１Ｂに関連して説明したのと同様に向きを変えられ得る。明確にして説明を容易にするために、各向きのモジュールの上に対応する「Ｒ」の向きが提供されている。様々な向きのモジュールを調べることによって、モジュールデザインによっては、いくつかの回転及び／又は反転から同じ見え方のモジュールが得られることが明らかであろう。この実施例では、向き１は向き８と同じに見え、向き２は向き５と同じに見え、向き３は向き６と同じに見え、向き４は向き７と同じに見える。したがって、４つの別個の向きがある。
【００３９】
上述のように、各モジュールは、任意の向きを有する同じモジュールの隣に位置決めされ得る。一例として、図２Ｃ及び図２Ｄに示すように、様々なモジュールの向き１〜８が寄せ合わせられて、黒色地に対して波状の柄を画定し得る。図２Ｄに示すように、各モジュールは、隣接モジュール（複数可）の縁と完全又は不完全な目視的接続を形成する。さらに、様々な向きの隣接モジュールそれぞれのデザイン要素が、それぞれ合わさって複数の新たな要素、例えば円を画定する。
【００４０】
様々な向きを有するモジュールの各配置が、デザイン要素又は形状の独特な配置を画定する。一例として、図２Ｅは、再び簡単のために文字「Ｒ」及び数字位置指標を用いて示される様々な向きのモジュール２００の１６×１６配列２１６を示す。この配列は、様々な向きを有する合計２５６個のモジュールを含む。
【００４１】
図２Ｆに示すように、ここで、一般的な「Ｒ」モジュールを対応するモジュール２００の向きで置き換えると、織物モチーフ又は反復単位２１８が形成され得る。モチーフ２１８は、終点が位置合わせされた複数の弧を含み、これらは、それぞれが地２２８に対して設定されている円２２０、二連円２２２、三連円２２４、及び多くの他の波形、例えば形状２２６を含む様々な新たなデザイン要素を形成する。各デザイン要素は、完全に白色、完全に黒色（輪郭が白色）、又は白色及び黒色（輪郭が白色）両方の何らかの組み合わせとして図示されている。しかしながら、他の色構成も想定される。特に、モチーフ２１８の周辺に沿った場所以外は、「不完全な」又は「開放的」形状（すなわち、利用可能な終点を有するもの）がない。
【００４２】
図２Ｇ〜図２Ｚは、本発明の柄出し技法が２つ以上の織物片の位置合わせを容易にする方法を示す。この実施例及び他の実施例では、図示されている織物片のいくつかが単一の反復単位又はモチーフにも対応し得ることに留意されたい。しかしながら、反復単位が織物ウェブの長さ及び幅にわたって連続的に反復されること、及び本明細書で示す織物片の位置合わせが、織物ウェブからその特定の片が取られる場所に関係なく本発明に従って柄出しされるどの織物片を用いても達成され得ることが理解されるであろう。
【００４３】
図２Ｇを見ると、第１の織物片２３０、例えば第１の布地片又はカーペット片が、概ね第１の方向Ｄ１に延びる縁２３２を含む複数の周縁を含む。モチーフの様々な要素を形成する１つ又は複数の弧の終点、例えば２３４ａ、２３４ｂ、２３４ｃは、縁の少なくとも１つ、例えば縁２３２に当接する。同様に、第２の織物片２３６、例えば第２の布地片又はカーペット片が、概ね第１の方向Ｄ１に延びる縁２３８を含む複数の周縁を含む。１つ又は複数の弧の終点、例えば弧２４０ａ、２４０ｂ、２４０ｃは、縁の少なくとも１つ、例えば縁２３８に当接する。
【００４４】
織物片２３０、２３６の基本的な横方向位置合わせを、図２Ｇ及び図２Ｈに示す。片２３０、２３６が方向Ｄ２に互いに近付けられると、第１の片２３０の弧端２３４ａ、２３４ｂ、２３４ｃが第２の片２３６の弧端２４０ａ、２４０ｂ、２４０ｃと容易に位置合わせすることが明らかである。そうすることで、外見上ランダムな形状柄を形成することができ、その形状のうちのいくつかは、図２Ｈに示すように、継目Ｓ（本明細書では、明確にするために必要な場合は織物片の寸法を越えて延びる破線として示されることがある）を挟んで連接される。織物片の位置合わせにより、継目を挟んで複数の新たな形状又はデザイン要素が形成されたが、本発明の柄出し技法が生み出す全体的印象は連続的なものである。結果として、隣接するモチーフ間及び織物片間両方で境界が判別し難い。
【００４５】
しかしながら、多くの場合、同様の織物片のこの単純な並列位置合わせは実用的ではない。例えば、或る物品の形状（例えば、衣類又は部屋の形状）が異なるサイズの片を要求する場合、片を様々に切断し、したがって様々に位置合わせしなければならない。したがって、片が織物ロールから切断される場合、柄の反復単位をちょうど１つだけ含むように片が切断されることはめったにない。さらに、カーペットで生じることが多い損傷又は磨耗により織物片の一部が置き換えられる場合、置き換え片が正確に１つの織物反復単位から成る可能性は低い。
【００４６】
図２Ｉ〜図２Ｎは、本発明の柄出し技法が片同士の交互の位置合わせを容易にする方法を示す。図２Ｈに示す位置合わせ状態から始めて、図２Ｉに示すように、第２の片２３６が、第１の片２３０に対して第１の方向Ｄ１に移動させられ得る。最初に、継目Ｓに沿って弧の位置がずらされる。しかしながら、各モジュールの縁対称性により、図２Ｊに示すように、第２の片２３６をさらに移動させるとすぐに弧が位置合わせされて、相互接続された弧の外見上ランダムな柄が形成される。この位置合わせは、図２Ｈに示すのとは異なる柄を継目Ｓに沿って形成させることに留意されたい。なお、当接させた片２３０、２３６によって形成される全体的デザインの視覚的に曖昧な性質が、美学的に好ましい。
【００４７】
図２Ｋ〜図２Ｎは、第２の方向Ｄ２への第２の片２３６のさらなる移動を示し、このとき、例えば図２Ｊ及び図２Ｌに示すような位置合わせが生じる。各位置合わせから、それぞれが視覚的に好ましい異なる全体的デザインが得られる。多くの他の位置合わせが想定されることが理解されるであろう。この実施例では、片同士は、モジュールごとに少なくとも１回、又はこの場合はモチーフごとに少なくとも１６回一致する。
【００４８】
同様に、図２Ｍ及び図２Ｎに示すように、本発明の柄出し技法は、第２の片２３６を第２の方向Ｄ２に移動させたときの織物片２３０、２３６の位置合わせも容易にする。図２Ｌに示す位置合わせ状態から始めて、図２Ｍを見ると、第２の片２３６の利用可能な弧は、第１の片２３０の弧の柄と最初は重なった位置合わせ状態にない。しかしながら、図２Ｎに示すように、第２の片２３６を第２の方向Ｄ２にさらに移動させることによって、位置合わせが容易に達成される。
【００４９】
別の例として、図２Ｏ及び図２Ｐは、それぞれが少なくとも１つの織物反復単位の一部を含む２つの不定形片２４２、２４４のデザイン要素の位置合わせを示す。
【００５０】
したがって、隣接モジュールの理論上の境界が位置合わせされるまで片の１つ又は複数を単に調整するだけで、２つ以上の織物片間の多くの考えられる位置合わせを行うことができる。結果として、隣接する片のデザインを位置合わせする際に発生する廃棄物の量が最小化される。例えば、モジュールが約４インチ×４インチである場合、各デザインを位置合わせ状態にするために織物片を最大約４インチ調整するだけでよい。全く対照的に、通常の柄は、継目に沿って織物デザインを位置合わせするために、大幅に大きな部分を除去する、そして多くの場合は廃棄する必要があることが多い。
【００５１】
本柄出し技法は、織物の磨耗又は損傷部分の置き換えも容易にする。例えば、カーペット及び室内内張りは、汚れることが多く、且つ洗浄不可能である。通常、カーペット又は布地の切片又は片の置き換えには、余分なカーペット又は布地を用いて既存の設備と柄の適切な位置合わせを行う必要がある。しかしながら、本柄出し技法は、図２Ｑ〜図２Ｚに関連して説明するように、位置合わせの融通性を高めると共により小さな片又はスクラップ材料を使用する可能性を高める。
【００５２】
図２Ｑ及び図２Ｒを見ると、織物の一部（図示せず）が設備２４６から除去されることにより、置き換え片を受け入れる開口又は空隙２４８が形成されている。織物のスクラップ２５０（図２Ｒ）が、設置された織物の損傷部の置き換え用に利用可能である。スクラップは、図２Ｒに示すように開口よりも大きくてもよく、又は所望であれば小さくてもよい。後者の場合、設備を完成させるのに複数のスクラップが必要となる可能性がある。
【００５３】
本柄出し技法に従って形成される様々な柄では、多くの置き換え片がスクラップ片から切断され得る。上述のように、デザインの位置合わせは各モジュールで行われる。したがって、モジュールを計測して、置き換え片を、埋めるべき空隙の実サイズよりもわずかに大きな、例えば、空隙のサイズよりも少なくとも１モジュール長及び幅分大きなサイズにすることが賢明であろう。
【００５４】
図２Ｓ及び図２Ｔは、織物スクラップ２５０から除去され得る例示的な置き換え片２５２、２５４（破線で画定される）を示す。置き換え片２５２、２５４は、多くの方法で設置することができ、それらの例は、それぞれ図２Ｕ〜図２Ｗと図２Ｘ〜図２Ｚとに示されており、各置き換え片２５２、２５４の縁は、破線で示されている。いずれの例でも、置き換え片は、既存のデザインとの最良の適合及び位置合わせを達成するために必要に応じて調整され得る。余分な織物部分があれば、空隙に永久に設置する前に置き換え片から除去され得る。
【００５５】
［実施例３］
図３Ａは、織物柄を形成するのに用いられ得る別の例示的なモジュール３００を示す。モジュール３００は、それぞれが破線で示される理論上の縁３０２、３０４、３０６、３０８によって画定される実質的に正方形の形状を有するものとして図示されている。しかしながら、残りの図から明らかとなるように、モジュール３００は明確な輪郭を含まない。
【００５６】
モジュール３００は、縁３０２と３０８との間に延びて終点が各縁３０２、３０８の長さに沿った実質的に中心にある、Ｌ字形風の要素３１０を含む。要素３１０の最内縁３１２は、モジュール３００の第１の対角中心線ＣＤ１に実質的に沿っている。モジュール３００は、縁３０４と３０６との間に延びる台形風の要素３１４も含む。台形要素３１４の終点は、各縁３０４、３０６の長さに沿った実質的に中心にある。要素３１４の最内縁３１６は、要素３１０の最内縁３１２と実質的に平行である。モジュール３００の残りの部分は、白色で示す地３１８を構成する。モジュール３００は、第２の対角中心線ＣＤ２を挟んで実質的に対称であり、様々な他の中心線を挟んで実質的に非対称であるため、モジュール３００の対称の度合いは１である。
【００５７】
縁３０８に関して示すように、縁３０２、３０４、３０６、３０８のそれぞれが、実質的に等しい長さを有する区画ａ、ｂに分割され得る。各縁３０２、３０４、３０６、３０８の中央区画ｂが、要素３１０、３１４によって画定される第１の色相、この実施例では黒色を有する一方で、端区画ａが、地３１８によって画定される第２の色相、この実施例では白色を有することが、図３Ａから明らかであろう。各縁３０２、３０４、３０６、３０８は、どの縁も任意の他の縁との完全な位置合わせを成すような双方向対称性を有するものとして特徴付けられ得る。
【００５８】
モジュール３００の様々な向きを、図３Ｂに示し、この場合もモジュールが理論上の周辺境界（破線で示す）を有して図示されている。図１Ｂに関連して説明したようにして、向きを付けたモジュールが準備され得る。明確にして説明を容易にするために、各向きに対応する「Ｒ」モジュールが各向きの上に提供されている。この実施例では、向き１は向き８と同じに見え、向き２は向き５と同じに見え、向き３は向き６と同じに見え、向き４は向き７と同じに見える。したがって、４つの別個の向きがある。
【００５９】
図３Ｃは、「Ｒ」モジュールの例示的な１６×１６配列３２０を示す。「Ｒ」モジュールをモジュール３００に置き換えると、図３Ｄに示すように、得られるモチーフ３２２は迷路に似ている。このデザインは、複数の閉鎖形状及び開放形状、例えば、実質的に六角形の閉鎖形状３２４、実質的に八角形の閉鎖形状３２６、及び不規則な閉鎖形状３２８を備える。開放形状のそれぞれ、例えば形状３３０は、モチーフ３２２の周縁３３４に沿って少なくとも１つの利用可能な終点、例えば終点３３２を含む。
【００６０】
図３Ｅ〜図３Ｈは、本柄出し技法が２つ以上の織物片３３６、３３８の位置合わせを容易にする方法を示す。図３Ｅ及び図３Ｆに示すように、織物片３３６における形状３４２の終点３４０ａ、３４０ｂは、織物片３３８における各形状３５２、３５４の終点３４８、３５０と容易に一致して、外見上ランダムな形状柄を形成し、その形状のうちのいくつかは、継目Ｓを挟んで形成される。
【００６１】
多くの他の位置合わせを両方の方向Ｄ１及びＤ２で行うことができる。片同士は、各方向でモジュールごとに少なくとも１回、又はこの場合は各方向でモチーフごとに少なくとも１６回一致する。例えば、図３Ｇは、横方向及び垂直方向の位置ずれの例を示している。織物片３３８を矢印の方向に移動させると、図３Ｈに示すように両方の織物片３３６、３３８における様々な形状が容易に一致して、外見上ランダムな相互接続形状柄を形成する。この位置合わせ状態は、図３Ｆに示すのとは異なる柄を継目に沿い且つ継目を挟んで形成させるが、当接した片３３６、３３８によって形成される柄全体は、織物柄の残りの部分と一貫性があるように見える。
【００６２】
［実施例４］
図４Ａは、織物柄を形成するために用いられ得るさらに別の例示的なモジュール４００を示す。様々な他の実施例のように、モジュール４００は、それぞれが破線として示される理論上の縁４０２、４０４、４０６、４０８によって画定される実質的に正方形の形状を有するものとして図示されている。
【００６３】
モジュール４００は、複数の実質的に正方形のコーナ要素４１６、４１８、４２０、４２２（白色で示す）間に配置されている複数の要素４１０、４１２、４１４（黒色で示す）を含む。要素４１０、４１２は、コーナ要素４１６と４２０との間に第１の方向Ｄ１に延びるバー４２４（白色で示す）によって離間されており、要素４１０、４１４は、コーナ要素４２０と４２２との間に第２の方向Ｄ２に延びるバー４２６によって離間されている。
【００６４】
要素４１０は、縁４０２、４０８に当接し且つ／又は縁４２０、４０８を少なくとも部分的に画定し、コーナ要素４１８によって画定される切欠きコーナを有する正方形に全体的に似ている。要素４１２は、実質的に矩形の形状であり、縁４０６に当接し且つ／又は縁４０６を少なくとも部分的に画定する。要素４１４も、実質的に矩形の形状であり、縁４０４に当接し且つ／又は縁４０４を少なくとも部分的に画定する。このモジュールは、対角中心線ＣＤに沿って実質的に対称であり、残りの中心線（符号なし）を挟んで実質的に非対称であるため、モジュール４００の全体的な対称の度合いは１である。
【００６５】
縁４０８に関して示すように、各縁４０２、４０４、４０６、４０８は、区画ａ、ｂ、に分割することができ、各区画ａは実質的に等しい長さを有し、各区画ｂは実質的に等しい長さを有するため、区画の長さの配置は、各縁４０２、４０４、４０６、４０８に沿って対称である。各縁４０２、４０４、４０６、４０８の中央区画ｂが、要素４１０、４１２、４１４によって画定される第１の色相（黒色）を有する一方で、各縁４０２、４０４、４０６、４０８の端区画ａは、コーナ要素４１６、４１８、４２０、４２２によって画定される第２の色相（白色）を有する。各縁４０２、４０４、４０６、４０８は、どの縁も任意の他の縁との完全な位置合わせを成すような双方向対称性を有するものとして特徴付けられ得る。
【００６６】
モジュール４００の様々な向きを、各向きに対応する「Ｒ」モジュールで図４Ｂに示す。向き１は向き８と同じに見え、向き２は向き５と同じに見え、向き３は向き６と同じに見え、向き４は向き７と同じに見える。したがって、４つの別個の向きがある。
【００６７】
図４Ｃは、「Ｒ」モジュールの例示的な１６×１６配列４２４を示す。図４Ｄに示すように、「Ｒ」モジュールは、モジュール４００に置き換えられると、複数の白色の相互接続されたバー及び正方形、例えばバー４３２、４３４及び正方形４３６、４３８によって隔てられている複数の黒色の重なったジグザグ、例えばジグザグ４２８、４３０に似ているモチーフ４２６を形成し得る。
【００６８】
図４Ｅ及び図４Ｆは、本柄出し技法が織物片４４０、４４２の位置合わせを容易にする方法を示し、図４Ｅは、各片４４０、４４２におけるデザインの位置ずれを示しており、図４Ｆは、各片４４０、４４２におけるデザインの位置合わせを示している。継目Ｓを挟んで作成される新たな要素があるにもかかわらず、全体的デザインは連続的に見える。
【００６９】
［実施例５］
図５Ａは、織物柄を形成するために用いられ得るさらに別の実施例のモジュール５００を示す。モジュール５００は、それぞれが破線として示される理論上の境界又は縁５０２、５０４、５０６、５０８によって画定される実質的に正方形の形状を有するものとして図示されている。この構成では、対向する縁５０６、５０８が、実質的に第１の方向Ｄ１に延びて互いに実質的に平行である一方で、対向する縁５０２、５０４は、実質的に第２の方向Ｄ２に延びて互いに実質的に平行である。
【００７０】
モジュール５００は、それぞれが実質的に等しい長さ及び幅である複数の離間した実質的に矩形のバー５１０、５１２、５１４を含む。バー５１０は、実質的に理論上の縁５０２と５０４との間に第１の方向Ｄ１に延び、バー５１２、５１４に対して実質的に垂直である。バー５１２、５１４は、実質的に理論上の縁５０６と５０８との間に第２の方向Ｄ２に延び、互いに実質的に平行である。バー５１４は、モジュール５００に引かれた縦中心線ＣＬから距離Ｄだけずれた点Ｐにおいてバー５１０、５１２と交差する。一対の実質的に正方形の空隙５１６、５１８が、バー５１０、５１２が重なった部分及びバー５１０、５１４が重なった部分にそれぞれ割り込む。モジュール５００は、横中心線ＣＴに沿って実質的に対称であり、残りの中心線（符号なし）を挟んで実質的に非対称であるため、モジュール５００の全体的な対称の度合いは１である。残りの空間及び空隙５１６、５１８が、白色で示すモジュール５００の地５２０を画定する。
【００７１】
各縁５０２、５０４、５０６、５０８は、区画ａ、ｂ、ｂ’、ｃに分割することができ、各区画ａは実質的に等しい長さを有し、各区画ｂ、ｂ’は実質的に等しい長さを有し、各区画ｃ、は実質的に等しい長さを有するため、区画の長さの配置は、各縁５０２、５０４、５０６、５０８に沿って対称である。縁５０２、５０４、５０６、５０８の区画ａ、ｃ、及びｂ’はそれぞれ、地５２０によって画定される第１の色相（白色）を有し、区画ｂは、バー５１０、５１２、５１４の終点によって画定される第２の色相（黒色）を有する。色相の各配置が、縁５０６、５０８に沿って対称且つ同一であるため、縁５０６、５０８は、互いに完全な位置合わせを容易に成す。対照的に、縁５０２、５０４に沿った色相の配置は、同一であるが非対称である。結果として、縁５０２、５０４の位置合わせによっては、完全な位置合わせをもたらすものができる一方で、その代わりにモチーフ内で終わる複数の形状を画定するものもできる（図５Ｄで最もよく分かる）。
【００７２】
モジュール５００の様々な向きを、対応する「Ｒ」モジュールで図５Ｃに示す。この実施例では、向き１は向き５と同じに見え、向き２は向き６と同じに見え、向き３は向き７と同じに見え、向き４は向き９と同じに見える。したがって、４つの別個の向きがある。
【００７３】
図５Ｄは、「Ｒ」モジュールの例示的な８×８配列５２２を示す。図５Ｄに示すように、「Ｒ」モジュールは、モジュール５００に置き換えられると、多少開いた格子構造又はトレリスに似ている複数の相互接続されたバーを含むモチーフ５２４を形成し得る。
【００７４】
図５Ｅ及び図５Ｆは、本柄出し技法が織物片５２６、５２８の位置合わせを容易にする方法を示し、図５Ｅは、各片５２６、５２８におけるデザインの位置ずれを示しており、図５Ｆは、各片５２６、５２８におけるデザインの位置合わせを示している。片５２６と５２８との間の継目Ｓを挟んで作成される新たな要素があるにもかかわらず、全体的デザインはややランダムだが連続的に見える。多くの他の位置合わせを織物片５２６、５２８で行うことができる。この実施例では、片同士は、第１の方向又は第２の方向に移動させるとモジュールごとに少なくとも１回、この場合は各方向でモチーフごとに少なくとも８回一致する。
【００７５】
［実施例６］
図６Ａは、織物柄を形成するために用いられ得るさらに別の実施例のモジュール６００を示す。モジュール５００は、それぞれが破線として示される理論上の周縁６０２、６０４、６０６、６０８によって画定される実質的に正方形の形状を有するものとして図示されている。モジュール６００は、第１のＬ字形風の要素６１０と、ジグザグに似た第２の要素６１２とを含む。第１の要素６１０及び第２の要素６１２は、やや入れ子状の構成で配置される。要素６１０の終点は、理論上の縁６０２、６０８に沿った実質的に中心にあり、且つ／又は理論上の縁６０２、６０８を少なくとも部分的に画定する。同様に、要素６１２の終点は、縁６０４、６０６に沿った実質的に中心にあり、且つ／又は縁６０４、６０６を少なくとも部分的に画定する。
【００７６】
この実施例では、第１の要素及び第２の要素はそれぞれ、暗い方の色（黒色として示す）がそれぞれの相手側の（nestled）縁に近接しており明るい方の色（灰色として示す）がそれぞれの相手側の縁の遠位にある、２つ以上の色を有するものとして図示されている。しかしながら、要素が１つの色相しか有していなくてもよく、それぞれが異なる色相を有していてもよく、又はそれぞれが複数の色相及びそれらの組み合わせを有していてもよいことが想定される。モジュール６００の残りの部分は、白色で示す地６１４を構成する。しかしながら、他の色相及び色相の組み合わせを用いてもよい。モジュール６００は、対角中心線ＣＤに沿って実質的に対称であり、様々な他の中心線に沿って実質的に非対称である。したがって、モジュール６００の全体的な対称の度合いは１である。
【００７７】
図６Ａに示すように、各縁６０２、６０４、６０６、６０８は、区画ａ、ｂ、ｃに分割することができ、各区画ａは実質的に等しい長さを有し、各区画ｂは実質的に等しい長さを有し、各区画ｃは実質的に等しい長さを有する。各縁が同じ区画に分割されているが、区画ｂ及びｃは、モジュール６００の反対の縁では逆の位置にある。要素６１０、６１２の終点が、各中央区画の組み合わせｂ＋ｃを画定する一方で、地６１４は、各端区画ａを画定する。
【００７８】
要素６１０、６１２で複数の色相が用いられているにもかかわらず、各縁６０２、６０４、６０６、６０８に沿った要素のこの擬対称配置は、要素６１０、６１２が互いに一致して外見上連続的なデザインを作成する一方で、地６１４は地６１４同士で一致することを確実にする。しかしながら、要素６１０、６１２の複調性が、区画のいくつかの完全な位置合わせ及びいくつかの不完全な位置合わせをもたらす。例えば、各向きの上に対応する「Ｒ」モジュールの向きが提供されている、図６Ｂのモジュール６００の様々な向きを見ると、例えば、向き１及び６の横方向位置合わせは、区画ｂ及びｃの不完全な位置合わせをもたらすが、向き１及び７の横方向位置合わせは、区画ｂ及びｃの完全な位置合わせをもたらす。この実施例では、向き１は向き８と同じに見え、向き２は向き５と同じに見え、向き３は向き６と同じに見え、向き４は向き７と同じに見えることに留意されたい。したがって、４つの別個の向きがある。
【００７９】
図６Ｃは、「Ｒ」モジュールの例示的な１６×１６配列６１６を示す。図６Ｄ（二重の色調は判別し難い）に示すように、得られるモチーフ６１８は、格子構造又は重なった階段に似ている複数の相互接続された要素を含む。
【００８０】
図６Ｅ及び図６Ｆは、本柄出し技法が織物片６２０、６２２の位置合わせを容易にする方法を示し、図６Ｅは、各片６２０、６２２におけるデザインの位置ずれを示しており、図６Ｆは、各片６２０、６２２におけるデザインの位置合わせを示している。様々な他の実施例のように、継目を挟んで形成される新たな要素があるにもかかわらず、全体的なデザインはややランダムだが連続的に見える。
【００８１】
［実施例７］
図７は、それぞれが破線として示される理論上の縁７０２、７０４、７０６、７０８によって画定される実質的に正方形の形状を有する、さらに別のモジュール７００を示す。モジュール７００は、それぞれが白色で示される複数の実質的にＶ字形の要素７１０、７１２、７１４、７１６と、黒色で示される地７１８とを含む。要素７１０、７１２はそれぞれ、縁７０２に当接し、要素７１４、７１６はそれぞれ、縁７０４に当接する。要素７１０、７１２、７１４、７１６のそれぞれが、「Ｖ」の最も狭い部分を縦中心線ＣＬに近接させてモジュール７００内に位置決めされている。モジュール７００は、縦中心線ＣＬ及び横中心線ＣＴに沿って実質的に対称であり、対角中心線（符号なし）のそれぞれを挟んで実質的に非対称であるため、モジュール７００の全体的な対称の度合いは２である。
【００８２】
各縁７０２、７０４、７０６、７０８は、区画ａ、ｂ、ｂ’、ｃに分割することができ、各区画ａは実質的に等しい長さを有し、各区画ｂ、ｂ’は実質的に等しい長さを有し、各区画ｃ、は実質的に等しい長さを有するため、区画の長さの配置は、各縁７０２、７０４、７０６、７０８に沿って対称である。区画ａ、ｂ、及びｃは、地７１８によって画定される第１の色相（黒色）を有する。対照的に、各区画ｂ’は、要素７１０、７１２、７１４、７１６によって画定される白色の色相を有する。各縁が、縁７０２、７０４が互いに同一であり縁７０６、７０８が互いに同一である双方向対称性を特徴とする。したがって、縁７０２、７０４が互いに完全な位置合わせを成し、縁７０６、７０８が互いに完全な位置合わせを成す。他の位置合わせは、区画ｂ及びｂ’の不完全な整合をもたらす（図７Ｄ）。
【００８３】
各向きの上に対応する「Ｒ」モジュールを提供して、モジュール７００の様々な向きを図７Ｂに示す。この実施例では、向き１、３、５、及び７が同じに見え、向き２、４、６、及び８が同じに見える。したがって、２つの別個の向きがある。
【００８４】
図７Ｃは、「Ｒ」モジュールの例示的な１６×１６配列７２０を示す。図７Ｄに示すように、「Ｒ」モジュールをモジュール７００で置き換えると、得られる織物反復単位７２２は、ｖと、ｗ、ｍ、及びジグザグに似ている他の新たな要素との、複数の正方形配置を含む。
【００８５】
図７Ｅ及び図７Ｆは、本柄出し技法が織物片７２４、７２６の位置合わせを容易にする方法を示し、図７Ｅは、各デザインの位置ずれを示しており、図７Ｆは、各デザインの位置合わせを示している。継目Ｓを挟んで作成される新たな要素があるにもかかわらず、全体的デザインは、ややランダムだが反復するモチーフと一貫しているように見える。
【００８６】
［実施例８］
図８Ａは、織物柄を形成するために用いられ得るさらに別の実施例のモジュール８００を示す。モジュール８００は、破線形態で示される複数の理論上の周縁８０２、８０４、８０６、８０８によって画定される概ね正方形の形状を有する。
【００８７】
モジュール８００は、実質的に縁８０２と８０４との間に第１方向のすなわち縦方向Ｄ１に延びる複数の曲線状要素（すなわち、円弧線又は曲線）を含み、これには、それぞれ縁８０６、８０８に最も近い最外線８１０、８１２が含まれる。要素８１０、８１２を含む縦方向要素のそれぞれが、縦中心線ＣＬの中間点及び横中心線ＣＴの中間点にも相当するモジュール８００の中心Ｃに向かってわずかに集束する。
【００８８】
モジュール８００は、実質的に縁８０６と縦方向曲線８１０との間に第２の方向すなわち横方向Ｄ２に延びる複数の曲線状要素８１４（すなわち、湾曲部及び線）、及び実質的に縁８０８と縦方向曲線８１２との間に第２の方向すなわち横方向Ｄ２に延びる複数の曲線状要素８１６（すなわち、湾曲部及び線）も含む。縁８０２、８０４にそれぞれ近接している最も外側の要素８１４、８１６は、実質的に直線状であるが、横中心線ＣＴに近接している最も内側の要素８１４、８１６は、実質的に曲がっている。しかしながら、他の構成も想定される。
【００８９】
複数の要素８１４のそれぞれが、縦方向Ｄ１で複数の要素８１６の対応する要素とそれぞれ位置合わせされる。モジュールは、横中心線ＣＴ及び縦中心線ＣＬに沿って対称であり、対角中心線（符号なし）のそれぞれを挟んで非対称であるため、モジュール８００の全体的な対称の度合いは２である。
【００９０】
各縁８０２、８０４、８０６、８０８は、１３個の区画に分割することができ、各縁８０２、８０４、８０６、８０８に沿った各区画が実質的に等しい長さを有する。区画は、第１の色相（黒色）と第２の色相（白色）とで交互になっているため、区画の長さ及び色相の各配置は、各縁８０２、８０４、８０６、８０８に沿って対称且つ同一になっている。したがって、各縁８０２、８０４、８０６、８０８は、他の各縁８０２、８０４、８０６、８０８と完全な位置合わせを成す。
【００９１】
モジュール８００の様々な向きを、対応する「Ｒ」モジュールと共に図８Ｂに示す。この実施例では、向き１、３、５、及び７が同じに見え、向き２、４、６、及び８が同じに見える。したがって、２つの別個の向きがある。
【００９２】
図８Ｃは、モジュール８００に置き換えられて図８Ｄに示すモチーフ８２２を形成し得る、「Ｒ」モジュールの例示的な８×８配列８２０を示す。この柄は、全体的に斜子織に似ている。
【００９３】
本明細書に記載の様々な他の実施例に関連して説明されるように、微調整を行って１つ又は複数の片を互いに対して位置決めすることによって容易に位置合わせされ得る、様々な織物、したがって織物片を、モチーフ８２２を用いて形成することができることが理解されるであろう。織物片８２４、８２６の位置合わせの一例を図８Ｅに示す。
【００９４】
図９Ａ及び図９Ｂは、モチーフ９０４（図９Ｃ）を形成するために用いられ得るさらに別の例示的なモジュール９００及び「Ｒ」モジュールの例示的な配列９０２をそれぞれ示す。この実施例では、モジュール９００の各縁が双方向対称性を示す。このモジュールは、対称二等分線を有しないため、全体的な対称の度合いは０である。したがって、このモジュールは、８個の別個の向きを有する（図示せず）。
【００９５】
図１０Ａ及び図１０Ｂは、モチーフ１００４（図１０Ｃ）を形成するために用いられ得る別の例示的なモジュール１０００及び「Ｒ」モジュールの例示的な配列１００２をそれぞれ示す。この実施例では、モジュール１０００の各縁が双方向対称性を示す。このモジュールは、対称二等分線を有しないため、全体的な対称の度合いは０である。このモジュールは、８個の別個の向きを有する（図示せず）。
【００９６】
図１１Ａ及び図１１Ｂは、モチーフ１１０４（図１１Ｃ）を形成するために用いられ得るさらに別の例示的なモジュール１１００及び「Ｒ」モジュールの例示的な配列１１０２をそれぞれ示す。この実施例では、モジュール１１００の各縁が双方向対称性を示す。このモジュールは、対称二等分線を有しないため、全体的な対称の度合いは０である。したがって、このモジュールは、８個の別個の向きを有する（図示せず）。
【００９７】
図１２Ａ及び図１２Ｂは、モチーフ１２０４（図１２Ｃ）を形成するために用いられ得るさらに別の例示的なモジュール１２００及び「Ｒ」モジュールの例示的な配列１２０２をそれぞれ示す。この実施例では、モジュール１２００の各縁が双方向対称性を示す。このモジュールは見かけ上の対称線ＣＤを有するが、デザイン要素の上下に交わった柄が、実際には対称に見えなくする。しかしながら、図１２Ｄに示すように別個の向きが４つしかないため、「隠れた」対称性がある。
【００９８】
本発明の特定の実施形態を或る程度詳細に説明してきたが、当業者は、本発明の趣旨又は範囲から逸脱せずに開示されている実施形態に多くの変更を加えることができる。方向に関する言及（例えば、上側、下側、上向き、下向き、左、右、左方、右方、上、下、上方、下方、垂直、水平、時計方向、及び反時計方向）は全て、本発明の様々な実施形態を読者が理解しやすいように、識別を目的として用いられているにすぎず、特許請求の範囲に明記されていない限り、特に本発明の位置、向き、又は使用に関して制限を課すものではない。接合に関する言及（例えば、接合される、取り付けられる、結合される、接続される等）は、広義に解釈されるものとし、要素の接続部間の中間部材、及び要素間の相対移動を含み得る。したがって、接合に関する言及は、２つの要素が直接接続されて互いに固定関係にあることを必ずしも意味しない。
【００９９】
したがって、本発明の上記の詳細な説明に鑑みて、本発明に広範な実用性及び用途の可能性があることが、当業者には容易に理解されるであろう。添付の特許請求の範囲に記載の本発明の実体又は範囲から逸脱せずに、本明細書に記載されているもの以外の本発明の多くの適合形態、並びに多くの変形形態、変更形態、及び等価構成が、本発明及び上記のその詳細な説明から明らかとなり且つ当然示唆されるであろう。
【０１００】
本明細書において、本発明が具体的な態様に関して詳細に説明されているが、この詳細な説明は、本発明の説明及び例示にすぎず、本発明の完全且つ実施可能な開示を提供するため及び発明者（ら）によって想定される本発明を実施するための最良の形態を提供するために行われているにすぎないことを理解されたい。本明細書に記載されている詳細な説明は、本発明を制限することも、本発明のそのような他の実施形態、適合形態、変形形態、変更形態、及び等価構成を除外することも意図されず、そのように解釈されてもならない。
【図１Ａ】
2010519425.tif 000003
【図１Ｂ】
2010519425.tif 000004
【図１Ｃ】
2010519425.tif 000005
【図１Ｄ】
2010519425.tif 000006
【図２Ａ】
2010519425.tif 000007
【図２Ｂ】
2010519425.tif 000008
【図２Ｃ】
2010519425.tif 000009
【図２Ｄ】
2010519425.tif 000010
【図２Ｅ】
2010519425.tif 000011
【図２Ｆ】
2010519425.tif 000012
【図２Ｇ】
2010519425.tif 000013
【図２Ｉ】
2010519425.tif 000014
【図２Ｊ】
2010519425.tif 000015
【図２Ｋ】
2010519425.tif 000016
【図２Ｌ】
2010519425.tif 000017
【図２Ｍ】
2010519425.tif 000018
【図２Ｎ】
2010519425.tif 000019
【図２Ｏ】
2010519425.tif 000020
【図２Ｐ】
2010519425.tif 000021
【図２Ｑ】
2010519425.tif 000022
【図２Ｒ】
2010519425.tif 000023
【図２Ｓ】
2010519425.tif 000024
【図２Ｔ】
2010519425.tif 000025
【図３Ａ】
2010519425.tif 000026
【図３Ｂ】
2010519425.tif 000027
【図３Ｃ】
2010519425.tif 000028
【図３Ｄ】
2010519425.tif 000029
【図３Ｅ】
2010519425.tif 000030
【図３Ｆ】
2010519425.tif 000031
【図３Ｇ】
2010519425.tif 000032
【図３Ｈ】
2010519425.tif 000033
【図４Ａ】
2010519425.tif 000034
【図４Ｂ】
2010519425.tif 000035
【図４Ｃ】
2010519425.tif 000036
【図４Ｄ】
2010519425.tif 000037
【図４Ｅ】
2010519425.tif 000038
【図４Ｆ】
2010519425.tif 000039
【図５Ａ】
2010519425.tif 000040
【図５Ｂ】
2010519425.tif 000041
【図５Ｃ】
2010519425.tif 000042
【図５Ｄ】
2010519425.tif 000043
【図５Ｅ】
2010519425.tif 000044
【図５Ｆ】
2010519425.tif 000045
【図６Ｃ】
2010519425.tif 000046
【図６Ｄ】
2010519425.tif 000047
【図６Ｅ】
2010519425.tif 000048
【図６Ｆ】
2010519425.tif 000049
【図７Ａ】
2010519425.tif 000050
【図７Ｂ】
2010519425.tif 000051
【図７Ｃ】
2010519425.tif 000052
【図７Ｄ】
2010519425.tif 000053
【図７Ｅ】
2010519425.tif 000054
【図７Ｆ】
2010519425.tif 000055
【図８Ａ】
2010519425.tif 000056
【図８Ｂ】
2010519425.tif 000057
【図８Ｃ】
2010519425.tif 000058
【図８Ｄ】
2010519425.tif 000059
【図８Ｅ】
2010519425.tif 000060
【図９Ｂ】
2010519425.tif 000061
【図１０Ｂ】
2010519425.tif 000062
【図１１Ｂ】
2010519425.tif 000063
【図１２Ｂ】
2010519425.tif 000064
【図２Ｈ】
2010519425.tif 000065
【図２Ｕ】
2010519425.tif 000066
【図２Ｖ】
2010519425.tif 000067
【図２Ｗ】
2010519425.tif 000068
【図２Ｘ】
2010519425.tif 000069
【図２Ｙ】
2010519425.tif 000070
【図２Ｚ】
2010519425.tif 000071
【図６Ａ】
2010519425.tif 000072
【図６Ｂ】
2010519425.tif 000073
【図９Ａ】
2010519425.tif 000074
【図９Ｃ】
2010519425.tif 000075
【図１０Ａ】
2010519425.tif 000076
【図１０Ｃ】
2010519425.tif 000077
【図１１Ａ】
2010519425.tif 000078
【図１１Ｃ】
2010519425.tif 000079
【図１２Ａ】
2010519425.tif 000080
【図１２Ｃ】
2010519425.tif 000081
【図１２Ｄ】
2010519425.tif 000082
【手続補正書】
【提出日】平成21年10月27日(2009.10.27)
【手続補正１】
【補正対象書類名】明細書
【補正対象項目名】００１４
【補正方法】変更
【補正の内容】
【００１４】
【図１Ａ】本発明の様々な態様を示すために用いられる一般的な「Ｒ」モジュールを示す。
【図１Ｂ】図１Ａのモジュールの様々な向きを示す。
【図１Ｃ】モジュール向きのタイル張り配置を示す。
【図１Ｄ】図１Ｃのモジュール向きの配置に対応する様々な向きを有する「Ｒ」モジュールの例示的な配置を示す。
【図２Ａ】織物柄を形成するために用いられ得る例示的なモジュールを示す。
【図２Ｂ】図２Ａのモジュールの様々な向きを示す。
【図２Ｃ】図２Ｂの向きが寄せ合わせられてデザインを形成するところを概略的に示す。
【図２Ｄ】図２Ｂの向きが寄せ合わせられてデザインを形成するところを概略的に示す。
【図２Ｅ】織物反復単位又はモチーフを形成するために用いられ得る様々な向きの「Ｒ」モジュールの例示的な配置を示す。
【図２Ｆ】図２Ｅの「Ｒ」モジュールを「Ｒ」モジュールと同じ向きの図２Ａのモジュールで置き換えることによって形成される、例示的な織物反復単位又はモチーフを示す。
【図２Ｇ】図２Ｆのモチーフを用いて形成される織物片を位置合わせする方法を示す。
【図２Ｈ】図２Ｆのモチーフを用いて形成される織物片を位置合わせする方法を示す。
【図２Ｉ】図２Ｆのモチーフを用いて形成される織物片を位置合わせする方法を示す。
【図２Ｊ】図２Ｆのモチーフを用いて形成される織物片を位置合わせする方法を示す。
【図２Ｋ】図２Ｆのモチーフを用いて形成される織物片を位置合わせする方法を示す。
【図２Ｌ】図２Ｆのモチーフを用いて形成される織物片を位置合わせする方法を示す。
【図２Ｍ】図２Ｆのモチーフを用いて形成される織物片を位置合わせする方法を示す。
【図２Ｎ】図２Ｆのモチーフを用いて形成される織物片を位置合わせする方法を示す。
【図２Ｏ】２つの織物片の位置合わせを示す。
【図２Ｐ】２つの織物片の位置合わせを示す。
【図２Ｑ】織物片の置き換えを示す。
【図２Ｒ】織物片の置き換えを示す。
【図２Ｓ】織物片の置き換えを示す。
【図２Ｔ】織物片の置き換えを示す。
【図２Ｕ】織物片の置き換えを示す。
【図２Ｖ】織物片の置き換えを示す。
【図２Ｗ】織物片の置き換えを示す。
【図２Ｘ】織物片の置き換えを示す。
【図２Ｙ】織物片の置き換えを示す。
【図２Ｚ】織物片の置き換えを示す。
【図３Ａ】織物柄を形成するために用いられ得る別の例示的なモジュールを示す。
【図３Ｂ】図３Ａのモジュールの様々な向きを示す。
【図３Ｃ】モチーフを形成するために用いられ得る様々な向きの「Ｒ」モジュールの例示的な配置を示す。
【図３Ｄ】図３Ｃの各「Ｒ」モジュールを各「Ｒ」モジュールと同じような向きの図３Ａのモジュールで置き換えることによって形成される、例示的なモチーフを示す。
【図３Ｅ】図３Ｄのモチーフを用いて形成される織物片の位置合わせを示す。
【図３Ｆ】図３Ｄのモチーフを用いて形成される織物片の位置合わせを示す。
【図３Ｇ】図３Ｄのモチーフを用いて形成される織物片の位置合わせを示す。
【図３Ｈ】図３Ｄのモチーフを用いて形成される織物片の位置合わせを示す。
【図４Ａ】織物柄を形成するために用いられ得るさらに別の例示的なモジュールを示す。
【図４Ｂ】図４Ａのモジュールの様々な向きを示す。
【図４Ｃ】モチーフを形成するために用いられ得る様々な向きの「Ｒ」モジュールの例示的な配置を示す。
【図４Ｄ】図４Ｃの「Ｒ」モジュールを「Ｒ」モジュールと同じような向きの図４Ａのモジュールで置き換えることによって形成される、例示的なモチーフを示す。
【図４Ｅ】図４Ｄのモチーフを用いて形成される織物片の位置合わせを示す。
【図４Ｆ】図４Ｄのモチーフを用いて形成される織物片の位置合わせを示す。
【図５Ａ】織物柄を形成するために用いられ得るさらに別の例示的なモジュールを示す。
【図５Ｂ】図５Ａのモジュールの様々な向きを示す。
【図５Ｃ】モチーフを形成するために用いられ得る様々な向きの「Ｒ」モジュールの例示的な配置を示す。
【図５Ｄ】図５Ｃの「Ｒ」モジュールを「Ｒ」モジュールと同じような向きの図５Ａのモジュールで置き換えることによって形成される、例示的なモチーフを示す。
【図５Ｅ】図５Ｄのモチーフを用いて形成される織物片の位置合わせを示す。
【図５Ｆ】図５Ｄのモチーフを用いて形成される織物片の位置合わせを示す。
【図６Ａ】織物柄を形成するために用いられ得る別の例示的なモジュールを示す。
【図６Ｂ】図６Ａのモジュールの様々な向きを示す。
【図６Ｃ】モチーフを形成するために用いられ得る様々な向きの「Ｒ」モジュールの例示的な配置を示す。
【図６Ｄ】図６Ｃの「Ｒ」モジュールを「Ｒ」モジュールと同じような向きの図６Ａのモジュールで置き換えることによって形成される、例示的なモチーフを示す。
【図６Ｅ】図６Ｄのモチーフを用いて形成される織物片の位置合わせを示す。
【図６Ｆ】図６Ｄのモチーフを用いて形成される織物片の位置合わせを示す。
【図７Ａ】織物柄を形成するために用いられ得るさらに別の例示的なモジュールを示す。
【図７Ｂ】図７Ａのモジュールの様々な向きを示す。
【図７Ｃ】モチーフを形成するために用いられ得る様々な向きの「Ｒ」モジュールの例示的な配置を示す。
【図７Ｄ】図７Ｃの「Ｒ」モジュールを「Ｒ」モジュールと同じような向きの図７Ａのモジュールで置き換えることによって形成される、例示的なモチーフを示す。
【図７Ｅ】図７Ｄのモチーフを用いて形成される織物片の位置合わせを示す。
【図７Ｆ】図７Ｄのモチーフを用いて形成される織物片の位置合わせを示す。
【図８Ａ】織物柄を形成するために用いられ得るさらに別の例示的なモジュールを示す。
【図８Ｂ】図８Ａのモジュールの様々な向きを示す。
【図８Ｃ】モチーフを形成するために用いられ得る様々な向きの「Ｒ」モジュールの例示的な配置を示す。
【図８Ｄ】図８Ｃの「Ｒ」モジュールを「Ｒ」モジュールと同じような向きの図８Ａのモジュールで置き換えることによって形成される、例示的なモチーフを示す。
【図８Ｅ】図８Ｄのモチーフから形成される織物片の例示的な位置合わせを示す。
【図９Ａ】織物柄を形成するために用いられ得る別の例示的なモジュールを示す。
【図９Ｂ】モチーフを形成するために用いられ得る様々な向きの「Ｒ」モジュールの例示的な配置を示す。
【図９Ｃ】図９Ｂの「Ｒ」モジュールを「Ｒ」モジュールと同じような向きの図９Ａのモジュールで置き換えることによって形成される、例示的なモチーフを示す。
【図１０Ａ】織物柄を形成するために用いられ得る別の例示的なモジュールを示す。
【図１０Ｂ】モチーフを形成するために用いられ得る様々な向きの「Ｒ」モジュールの例示的な配置を示す。
【図１０Ｃ】図１０Ｂの「Ｒ」モジュールを「Ｒ」モジュールと同じような向きの図１０Ａのモジュールで置き換えることによって形成される、例示的なモチーフを示す。
【図１１Ａ】織物柄を形成するために用いられ得る別の例示的なモジュールを示す。
【図１１Ｂ】モチーフを形成するために用いられ得る様々な向きの「Ｒ」モジュールの例示的な配置を示す。
【図１１Ｃ】図１１Ｂの「Ｒ」モジュールを「Ｒ」モジュールと同じような向きの図１１Ａのモジュールで置き換えることによって形成される、例示的なモチーフを示す。
【図１２Ａ】織物柄を形成するために用いられ得る別の例示的なモジュールを示す。
【図１２Ｂ】モチーフを形成するために用いられ得る様々な向きの「Ｒ」モジュールの例示的な配置を示す。
【図１２Ｃ】図１２Ｂの「Ｒ」モジュールを「Ｒ」モジュールと同じような向きの図１２Ａのモジュールで置き換えることによって形成される、例示的なモチーフを示す。
【図１２Ｄ】図１２Ａのモジュールの様々な向きを示す。
【国際調査報告】
2010519425.tif 000083
2010519425.tif 000084
2010519425.tif 000085